(57)【要約】マットレス（１０）は、上面に境界面（１４）を構成する支持用弾性材料の支持ベース（１２）と、境界面の上に位置し、ベース材料より軟質の材料の圧縮性の層（２２）とを有する。支持ベースの厚さが、境界面が使用者の上半身のための第１の支持面（１６）と下半身のための第２の支持面（２０）との間に横方向に延びる凹状の溝部を構成するように、長手方向に沿って変化し、前記圧縮性の層は境界面の形状にほぼ従っている。マットレス（１０）は、特に、妊婦が心地よく仰向け、うつぶせ及び横寝で寝ることが出来るように有用である。
2004523323.tif 000002
【特許請求の範囲】
【請求項１】
上面に境界面を構成する支持用弾性材料の支持ベースと、境界面の上に位置し、ベース材料より軟質の材料の圧縮性の層と、を有し、
支持ベースの厚さが、境界面が使用者の上半身のための第１の支持面と下半身のための第２の支持面との間に横方向に延びる凹状の溝部を構成するように、長手方向に沿って変化し、前記圧縮性の層は境界面の形状にほぼ従っている、マットレス。
【請求項２】
第１の支持面の高さが、通常使用において、第２の支持面の高さより高い、請求項１に記載のマットレス。
【請求項３】
第１の支持面と第２の支持面の両方が、溝部から下方に傾斜する、請求項１又は請求項２に記載のマットレス。
【請求項４】
第１の支持面は、１０度未満の角度で溝部から傾斜し、前記圧縮性の層は、第１の支持面の領域で前記圧縮性の層に平らな上面を与えるために、前記第１の支持面より上の厚さが増加している、請求項３に記載のマットレス。
【請求項５】
さらに、圧縮性の層の上に位置するカバー層を有し、該カバー層はクッション材のものである、請求項１乃至４のいずれか１項記載のマットレス。
【請求項６】
溝部の端部は、一対の有形端ボルスターで形成され、溝部とボルスターは、一緒になって、妊婦の腹部を収容する形状及び大きさの丸い中空凹部を構成する、請求項１乃至５のいずれか１項記載のマットレス。
【請求項７】
さらに、前記丸い中空凹部内に嵌り込み且つその深さを減ずる形状及び大きさの取外し可能な有形インサートを有する、請求項６に記載のマットレス。
【請求項８】
インサートは、材料の少なくとも２つの層、即ち、少なくとも前記支持用弾性材料の層及び前記軟質の圧縮性の層の材料の層で形成されている、請求項７に記載のマットレス。
【請求項９】
前記弾性支持材料はスプリング入り支持体からなる、請求項１乃至８のいずれか１項記載のマットレス。
【請求項１０】
前記弾性支持材料は、発泡体材料、好ましくはポリウレタン発泡体からなる、請求項１乃至８のいずれか１項記載のマットレス。
【請求項１１】
前記軟質の圧縮性の層の材料は粘弾性記憶発泡体である、請求項１乃至１０のいずれか１項記載のマットレス。
【請求項１２】
さらに、ダブルマットレスを形成するために隣接したマットレスとの取付け手段を有する、請求項１乃至１１のいずれか１項記載のマットレス。
【請求項１３】
請求項１乃至１２のいずれか１項に記載のマットレスを連結されるとき、請求項１２に記載のマットレスからなる、ダブルマットレス。
【請求項１４】
前記マットレスのうちの一つが請求項６に記載のマットレスである請求項１３に記載のダブルマットレス。
【請求項１５】
支持用弾性材料の下方層及びベース材料より軟質の圧縮性の材料の上方層を有する、マットレスのための取外し可能なインサート。
【請求項１６】
前記インサートは、ドーム状の下面及びほぼ平らな上面を有する、請求項１５に記載の取外し可能なインサート。
【発明の詳細な説明】
【技術分野】
【０００１】
本発明は、体を休めるためのマットレス又は同様の支持体に関する。
【背景技術】
【０００２】
従来のマットレスは、整形外科の問題を生じさせ或いは悪化させる平らなクッション支持体である。それらは、妊娠が進むにつれた女性の腹部の形、大きさ及び体重の増大によって、妊婦にとって特に不快である。
【０００３】
仰向けに寝ることは、妊娠後期の女性にとって有効な唯一の選択枝であるが、多くの人々は、仰向けに眠ることが難しいと思う。非常に稀だが、心地よさをもたらすかもしれない唯一の位置、即ち、うつぶせで眠ることは、不快であることにより及び発育中の胎児を痛める恐れにより否定される。
【０００４】
さらに、胎児の体重は、通常の活動で背中下部のひずみを引き起こし、これらのひずみは、仰向けに寝なければならないことによって悪化する。このような場合にマッサージによって得られる緩和は又、背中下部の痛みを軽減するためのマッサージは一般的に本人にうつぶせに寝るように要求するという事実により、しにくい。
【０００５】
妊婦用の多数の体支持体が提案されているが、これらの支持体は、一般的に、従来のマットレスの上に置くように設計され、妊婦を彼女のパートナーと異なる高さに寝かせ、ベッドに寝るとき妊婦に通常よりも高い面に登らなければならないことを余儀なくさせる。
【発明の開示】
【発明が解決しようとする課題】
【０００６】
妊婦が直面している問題と取り組むこととは別に、本発明は又、全ての使用者にとってより快適であるマットレスを提供することに関するものであり、特に、背中の痛みや他の整形外科の問題を軽減するのに使用するためのマットレスに関するものである。本発明は、さらなる目的として、妊娠前、妊娠中及び妊娠後に使用することが出来るマットレスを提供することを含む。
【課題を解決するための手段】
【０００７】
本発明は、上面に境界面を構成する支持用弾性材料の支持ベースと、境界面の上に位置し、ベース材料より軟質の材料の圧縮性の層と、を有し、支持ベースの厚さが、境界面が使用者の上半身のための第１の支持面と下半身のための第２の支持面との間に横方向に延びる凹状の溝部を構成するように、長手方向に沿って変化し、前記圧縮性の層は境界面の形状にほぼ従っている、マットレスを提供する。
【０００８】
好ましくは、第１の支持面の高さは、通常使用において、第２の支持面の高さより高い。
「高い」、「低い」、「上」、「下」などの用語は、マットレスが平らな面に置かれる通常使用されるときに、要素の相対的な位置を示すために使用されるにすぎない比較上の用語であることが認識されるであろう。
【０００９】
さらに、好ましくは、第１の支持面と第２の支持面の両方は、溝部から下方に傾斜する。
好ましくは、第１の支持面は、１０度未満の角度で溝部から傾斜し、前記圧縮性の層は、第１の支持面の領域で前記圧縮性の層に平らな上面を与えるために、前記第１の支持面より上の厚さが増加している。
【００１０】
マットレスは、さらに、圧縮性の層の上に位置するカバー層を有し、該カバー層はクッション材のものである。
好ましい実施形態では、溝部の端部は、一対の有形端ボルスターで形成され、溝部とボルスターは、一緒になって、妊婦の腹部を収容する形状及び大きさの丸い中空凹部を構成する。
【００１１】
マットレスは、さらに、前記丸い中空凹部内に嵌り込み且つその深さを減ずる形状及び大きさの取外し可能な有形インサートを有する。
好ましくは、そのような場合は、インサートは、材料の少なくとも２つの層、即ち、少なくとも前記支持用弾性材料の層及び前記軟質の圧縮性の層の材料の層で形成されている
【００１２】
本発明のさらなる好ましい側面では、ダブルマットレスを形成するために隣接したマットレスとの取付け手段を有する。
本発明のさらなる側面により、支持用弾性材料の下方層及びベース材料より軟質の圧縮性の材料の上方層を有し、選択的にクッション材のカバー層を有する、マットレスのための取外し可能なインサートが提供される。
好ましくは、インサートは、ドーム状の下面及びほぼ平らな上面を有する。
【００１３】
本発明を、さらに、添付図面を参照して例示の方法で与えられる以下の本発明の実施形態の説明により示す。
【発明を実施するための最良の形態】
【００１４】
図１は、妊娠前、妊娠中及び妊娠後の女性が使用するための本発明による第１のマットレス１０を示す。マットレスは、３５ｋｇ／ｍ3の密度を有するポリウレタン発泡体の支持ベース１２を有する。この支持用弾性材料は、使用者の体の上方部分のための第１の支持面１６、使用者の体の中間部分を支持するための、第１の面に隣接した横方向に延びる凹状溝部１８、及び、使用者の脚部を支持するための、溝部１８に隣接した第２の支持面２０を有する境界面１４を構成する。
【００１５】
粘弾性発泡体（Ｋａｙｍｅｄから入手可能）の軟質の圧縮性の層２２が支持ベース上に位置する。このポリマー材料は、使用者の体形に適合し且つ非圧縮時にはそのもとの形状に戻る記憶発泡体である。圧縮性の層２２は、ほぼ一定の厚さのものであり、それ故、境界面の形状に似ている。ポリウレタン発泡体のカバー層２４が、圧縮性の層１４の上に位置する。
【００１６】
圧縮性の層と同じ粘弾性ポリマーで作られたボルスター２６が、溝部の各端部に設けられて一対の隆起側部２８を構成し、以下により詳細に説明するように、マットレスの上面３２には、それらの隆起側部２８の間に、丸い凹部３０が構成されている。
支持用弾性材料は、所望の堅さを有するスプリング入りのベースでも良いが、ポリウレタン発泡体が好ましい選択である。
ここで述べるような所要の特性を有する他の発泡体材料として、ラテックス発泡体を使用しても良い。
【００１７】
図２は、ボルスターが省略されている点を除いては、図１のマットレスと同様のマットレス４０を示し、従って、全体的に符号４２で示す溝部の形状は、マットレスの上面４４に維持される。
【００１８】
図３は、本発明によるダブルマットレス４６を示し、このダブルマットレス４６は、図１のマットレス１０及び図２のマットレス４０を並べて置き、それらをジッパー（登録商標）又はベルクロ（マジックテープ）（登録商標）ストリップのような適当な手段（図示せず）によって互いに取付けることによって形成される。
【００１９】
マットレス１０の隆起側部２８は、支持ベースの弾性発泡体ではなく圧縮性の材料のボルスターの結果として生ずるものなので、これらの隆起側部はベッドでの動きを大いに干渉しない。体重が、ダブルマットレスの中央で隆起側部２８にかかったとき、隆起側部２８は、矢印で示すように、単に横につぶれるだけである。
【００２０】
図４は、マットレス１０の中空凹部３０及びマットレス４０の溝部４２の形状を図示するために、カバー層を取り除いた状態で反対側から見たダブルマットレス４６を示す。パートナー用のマットレス４０が、パートナーの臀部を収容する大きさの溝部を必要とするに過ぎず、女性用のマットレスは、妊婦の膨れた腹部を収容しなければならないという事実により、女性用のマットレス１０の溝部１８は、パートナーのマットレス４０の溝部より大きいことが分かる。ボルスター２６が中空凹部３０を構成していることを明瞭に見ることが出来る。
【００２１】
マットレス１０は、妊娠の前及び後並びに妊娠中に使用出来るように設計されており、マットレスは、中空部を埋めるために、凹部３０内に置くことが出来るインサート５０を有する。図５は、インサートが存在している状態のマットレス１０を示し、図６は、インサートが取り除かれた状態のマットレス１０を示す。図７Ａ及び図７Ｂは、マットレス及びインサートを、それぞれ、マットレスの中心線に沿った断面側面図で示す。インサート５０は、平らな上面５２及び、中空凹部３０内に嵌るように形成されたドーム状下面５４を有する。インサートは、マットレスのベース、圧縮性の層及びカバー層とそれぞれ同じ材料で作られた３つの層５６、５８、６０で形成されている。これにより、正しい支持度合が確実に維持され、パートナーのマットレスの一定の特性にある程度似せて、通常の使用で臀部を収容すべく女性の体重で沈む軟質の圧縮性インサートを確実に提供する。図８は、インサートを挿入前及び後の両方で示す、インサート５０及びマットレス１０の図である。
【００２２】
図９は、本発明によるさらなるダブルマットレス７０を示し、このダブルマットレスは、図２に示すマットレスとほぼ同様だが、２倍の幅に拡げられている。境界面７２の形状をここでより詳細に説明するが、同じ外形が図１及び図２のマットレスに適用されることが認識されるであろう。
【００２３】
第１の支持領域７４は、頭部の側の端部７６から溝部が始まる位置７８まで上方にゆるやかに傾斜している。この領域は、使用者の頭、肩及び背中上部を支持する。圧縮性の層８０はその長手方向に沿ってほぼ一定の厚さのものであるが、実際には頭の側の端でわずかに厚いことが分かる。これは、この第１の領域の上のマットレスの上面を平らにするが、頭の側の端に向ってより圧縮可能にする。
【００２４】
溝部が始まる箇所７８は、使用者が仰向けに或いは横向きに寝たときに、背骨の腰の領域を支持する。すると、溝部は使用者の背中下部、臀部及び大腿部上部を受け入れる。溝部は、箇所８２で終わり、この箇所は溝部が始まる箇所７８より低い。これは、脚部が上体より低い高さにあり、呼吸を助け、又、リンパ系のドレナージを助けることを意味する。
境界面の第２の支持領域は、箇所８２から足の端８４まで傾斜しているが、使用者の心地よさを良くするために足の端に向って平らにする。
【００２５】
かくして与えられたマットレスの形状は、背骨の湾曲に合わせることにより、又、より良い支持を行うことにより背骨の問題を緩和する助けとなる。
【図面の簡単な説明】
【００２６】
【図１】本発明によるマットレスの第１の実施形態の斜視図である。
【図２】本発明によるマットレスの第２の実施形態の斜視図である。
【図３】図１及び図２のマットレスを互いに連結して得られる本発明によるダブルマットレスの斜視図である。
【図４】トップカバー層が取り除かれた状態の図３のダブルマットレスの中央部分の斜視図である。
【図５】インサートが所定位置に置かれた状態の図１のマットレスの中央部分の上方から見た平面図である。
【図６】インサートが取り除かれた状態の図１のマットレスの中央部分の上方から見た平面図である。
【図７Ａ】図１のマットレスの側方断面図である、
【図７Ｂ】図１のマットレス用のインサートの側方断面図である。
【図８】インサート挿入前及び後の両方で示す図１のマットレスの斜視図である。
【図９】本発明によるさらなるダブルマットレスの斜視図である。
【国際公開パンフレット】
2004523323.tif 000003
2004523323.tif 000004
2004523323.tif 000005
2004523323.tif 000006
2004523323.tif 000007
2004523323.tif 000008
2004523323.tif 000009
2004523323.tif 000010
2004523323.tif 000011
2004523323.tif 000012
2004523323.tif 000013
2004523323.tif 000014
2004523323.tif 000015
2004523323.tif 000016
2004523323.tif 000017
2004523323.tif 000018
2004523323.tif 000019
2004523323.tif 000020
【国際調査報告】
2004523323.tif 000021
2004523323.tif 000022